(57)【特許請求の範囲】
【請求項１】
ヘッド部１とシャフト部２を有するゴルフ用パターであって、
ヘッド部１はボールと接するフェース面１００を有する中央部１０とこの両端に位置する左側部１１と右側部１２とを有し、
左側部１１と右側部１２との間に軸部１４を架設してローラ部１３を回動自在に軸支し、
該ローラ部１３は円筒状ローラであって一方の端面の径と他方の端面の径が異なるローラであり、
打ち手側に位置する一方の端面の径が細径で他方の端面の径が太径であることを特徴とするゴルフ用パター。
【請求項２】
ローラ部１３はヘッド部１の底部から一部突出して軸支していることを特徴とする請求項１記載のゴルフ用パター。
【請求項３】
ローラ部１３の打ち手側に位置する一方の端面の径が２２ミリ径であり、他方の端面の径が２４ミリ径であり、ローラ部１３の長さが２０ミリの長さであることを特徴とする請求項１又は２のいずれかに記載のゴルフ用パター。
【請求項４】
ローラ部１３がヘッド部１の底部から一部突出して軸支されているその突出幅が１０ミリであることを特徴とする請求項２又は３のいずれかに記載のゴルフ用パター。
【請求項５】
ローラ部１３の打ち手側に位置する一方の端面の径と他方の端面の径との両者の比が１００対１０５の比率から１００対１３０の比率の間の比率で形成していることを特徴とする請求項１、２又は４のいずれかに記載のゴルフ用パター。
【発明の詳細な説明】
【技術分野】
【０００１】
本発明は、ゴルフの際の用いるゴルフ用パターに関する。
【背景技術】
【０００２】
ゴルフを行うに際して、フェアウェー上において飛距離を出すためのウッドと、同じくフェアウェー上で必要個所にボールを運ぶためのアイアンのクラブを用いられるが、グリーン上においては芝を傷めないためにパターを用いることが必要となる。
このパターはグリーン上でボールをホールに入れるために転がして打つものであり、距離感のみならず方向などを極めてシビアに求められるものとなる。
従ってパターの構造はボールを打つためのフェース面を有するヘッドとこのヘッドを用いてボールを打ち出すための柄の部分であるシャフトとを有する。
【０００３】
特にヘッドの底面はグリーンの表面に接するソール部を有して、グリーン上を滑るように打球できるように形成している。
係る構造のパターに関しては両手でシャフトの把持部を握り、ヘッドのソール部をやや浮かして体の軸を定めて右から左方向にヘッド部を送り出してフェース面でボールにあててこのボールを所定方向に転がすものである。
この場合ヘッドの送りをよりスムーズに行うために例えば特開平９−２３９０７９号（特許文献１）や実用新案登録第３０１４５０５号（特許文献２）に示す構造を有するゴルフ用パターが考えられていた。
【先行技術文献】
【特許文献】
【０００４】
【特許文献１】特開平９−２３９０７９号
【特許文献２】実用新案登録第３０１４５０５号
【発明の概要】
【発明が解決しようとする課題】
【０００５】
以上の様に、ゴルフ用パターにおいてはボールを所定のホール内に転がし入れることが必要であることから、よりボールを転がしやすく構成するパターが考えつかれているが、上記の特許文献１及び特許文献２共にフェース面の下部やソール部分がグリーンの芝に食い込んでダフってしまうことを防ぐと共にフェース面に対して直角方向にまっすぐにヘッドが進行するように円柱状のローラをヘッドに形成しているパターが存在している。
このパターはヘッド部内に軸部を構成し、この軸部を軸心とした円柱状のローラを有している構成としている。
従ってそもそもパターを用いてボールを打つ際には左右方向にパターのヘッド部を移動させ、その左右方向の直線延伸上にホールを有することを前提として構成しているものである。
従ってこのようなパターを用いた場合には左右方向にまっすぐにヘッドを移動させてボールを転がせばその延長線上にあるホールに向かって真っすぐに転がっていくこととなるので、初心者などのみならず中級者や上級者などにおいても極めて理解しやすくかつ希望する方向にボールをころがしやすいものとなる。
【０００６】
しかし、現実的にはパターを打つ際にはホールのある方向の打球の進行方向と平行方向に立ち奥方向からホール方向に向かってヘッド部を移動させてボールを打つが、体の軸は定まって体の回転によって奥方向からホール方向に腕をふってボールを打つものとなることからどうして、円弧状にパターをふることとなってしまい、ずれが出てしまうものとなる。
このずれは打った打球にずれが生ずる原因につながるばかりでなくパターの送りに際して斜めにボールを打ち込むこととなり、フェース面でのボールへの接触に際しての不必要方向への回転を与えてしまうものとなる。
この不用意な回転は希望するボールの回転に対して全く予期しないものであることから、右側へ不用意に曲がり、或いはスピードを殺す回転を与えるなど所定の方向への転がりを妨げることが多いものである。
更には不用意にグリーの芝を噛んでしまうなどのことも生じるものである。
従って、軸を保って体の回転に伴う腕の振りでパターを用いてボールを打つ場合であっても、この体の回転に伴うずれなどを極力低減させることができ、所望の方向にボールをころがすことのできるパターが望まれるものである。
【課題を解決するための手段】
【０００７】
以上のように係る課題を見事に解決するため、請求項１に係る発明は、ヘッド部とシャフト部を有するゴルフ用パターであって、ヘッド部はボールと接するフェース面を有する中央部とこの両端に位置する左側部と右側部とを有し、左側部と右側部との間に軸部を架設してローラ部を回動自在に軸支し、該ローラ部は円筒状ローラであって一方の端面の径と他方の端面の径が異なるローラであって、打ち手側に位置する一方の端面の径が細径で他方の端面の径が太径であるゴルフ用パターからなり、係る発明によって前記課題を解決できる。
更に請求項２に係る発明は、ローラ部はヘッド部の底部から一部突出して軸支しているゴルフ用パターからなり、係る構成を用いたものであってもよい。
又、請求項３に係る発明はローラ部の打ち手側に位置する一方の端面の径が約２２ミリ径であり、他方の端面の径が２４ミリ径であり、ローラ部の長さが２０ミリの長さであるゴルフ用パターであって、係る発明を用いてもよいものである。
又、請求項４に係る発明はローラ部がヘッド部の底部から一部突出して軸支されていると共にその突出幅が１０ミリであるゴルフ用パターであり、係る構成を用いてもよい。
更に、請求項５に係る発明はローラ部の打ち手側に位置する一方の端面の径と他方の端面の径との両者の比が１００対１０５の比率から１００対１３０の比率の間の比率で形成しているゴルフ用パターであり、係る構成を用いてもよい。
【発明の効果】
【０００８】
まず、本発明に係るゴルフ用クラブを用いることにより、打ち手が軸を保って体の回転に伴う腕の振りでパターを用いてボールを打つ際に、この体の回転に伴うずれ等を極力低減させ、所望の方向にボールをころがすことのできるパターの提供を図るものである。
従って特に請求項１に係る発明により、打ち手側のローラ部の一方の端面の径が細径で、他方の端面の径が太径となり、体の軸を保ちつつ体の回転に伴う腕の振りでパターを用いてボールを打つ場合にヘッド部をスムーズに体の回転に併せて移動させることができ、更にこのスムーズなヘッド部の移動はフェース面とボールとの接触部分においても不用意な回転をボールに与えてしまうことを防げるものである。
従って、打ち手の希望に沿ったボールの転がりを出しやすくなるものとなる。
次に請求項２に係る発明によって、ローラ部がヘッド部の下部から一部突出しており、グリーンの芝上をこのローラ部が回転してヘッド部を送るものとなり、芝による抵抗を受けにくくスムーズにヘッド部を移動させることができる。
又請求項３に係る発明によって、スムーズにヘッド部を送りやすい構成を提供できると共に体の回転に沿ってボールに不用意な回転を与えず所定の方向にボールをころがしやすくできるものとなる。
更に請求項４に係る発明によってローラ部がヘッド部の底部から１０ミリ突出しており、芝に引っ掛かりにくいゴルフ用パターを提供できる。
又、請求項５に係る発明によって、ローラ部の一方の端面と他方の端面のそれぞれの径を一定の範囲にすることにより体の回転に伴うヘッド部の移動に際してローラ部がスムーズに回転することのできるゴルフ用パターの提供ができるものである。
【図面の簡単な説明】
【０００９】
【図１】本発明に係るゴルフ用パターの一例を示す図。
【図２】図１に示す本発明に係るゴルフ用パターの一例を横から視認した図。
【図３】本発明に係るゴルフ用パターの他の一例を示す図。
【図４】図３に示す本発明に係るゴルフ用パターの一例を横から視認した図。
【図５】本発明に係るゴルフ用パターの他の一例を示す図。
【発明を実施するための形態】
【００１０】
図１は、本発明に係るゴルフ用パターの一例を示す図である。
本図に示すゴルフ用パターは、ヘッド部１と柄であるシャフト部２からなっている。
ヘッド部１にはボールと接するフェース面１００があり、フェース面１００のある中央部１０とこの両端に位置する左側部１１と右側部１２とを有し、この中央部１０と左側部１１と右側部１２とでヘッド部１のベースを形成している。
この左側部１１と右側部１２との間は空間を有しており、この部分にローラ部１３を有している。
このローラ部１３は左側部１１と右側部１２との間に架設した軸部１４により中央部分で軸支しており、更にこの軸部１４によってローラ部１３は回動自在に軸支されている。
このローラ部１３は円筒状ローラであって、円錐形状の先端部分を除いた２つの円形の両端面を有するローラ部１３であり、一方の端面の径と他方の端面の径とが異なる径を有するローラ部１３をいうものである。
この場合、ローラ部１３のシャフト部２側方向の端面の径はやや細径となり、対向方向の端面の径はやや太径となっている。
従ってこのローラ部１３のローラを回転させるとシャフト部２方向に若干曲がって回転するものとなる。
この曲がりはパターを用いてボールを打つ場合に体の軸を保ちつつ体の回転に伴う腕の振りでパターを用いてボールを打つ場合にストレスなくヘッド部１を移動させるものとなり、フェース面１００とボールとの接触部分においても不用意な回転などを生じさせるものではなく、転がり方向の回転を適宜付与するものとなる。
従って予想しない方向への曲がりなどが出にくく所期の目的とした方向へボールが転がりやすくなるものである。
この場合ローラ部１３はシャフト部２側方向の端面の径はやや細径となり、対向方向の端面の径はやや太径となっているが、例えばシャフト部２側の径が２２ミリ程度の径であり、対向方向の径はやや太径で２４ミリ径程度の径を有し、更にローラ部１３の長さは２０ミリ程度の長さを有するローラ部１３を用いてもよい。
尚、この大きさは一例であり、これに限定されるものではなく、少なくともシャフト部２側方向の端面の径はやや細径となり、対向方向の端面の径はやや太径となっているものであり、体の中心線を軸にパターをふった場合に弧状を描くようにパターをふることとなり、体に近い部分と外側とでスムーズに回転可能な径の相違を有するものであり、係る際を調整できるものであればよい。
従って、それぞれの径の太さは１５ミリ径から４０ミリ径程度の間で太さの径で任意の径の太さを有するものであればよく、更にシャフト部２側の端面の径を細径として、その対向方向である外側の端面の径が太径で構成されているものであればよい。
尚、両者の径の相違は１００対１０５程度の差から１００対１３０程度の差を有する径の相違を有するものであればよい。
又、ローラ部１３の長さは２０ミリ程度を示すがこれは一例であり、これよりも長さの長いローラ部１３を用いるものであってもよい。
パターのヘッド部１の形状に応じて適切なローラ部１３を有するものであればよい。
【００１１】
図２は、パターのヘッド部１を横から視認した状態の一例を示す図である。
本図に示すようにパターのシャフト部２側のローラ部１３の端面の径は細径であり、シャフト部２の逆側のローラ部１３の端面の径は太径となっている。
このヘッド部１のシャフト部２は打ち手側についており、シャフト部２側の延伸上にゴルファーがおり、この打ち手の中心軸を中心に弧状にパターが振られることとなる。
従ってパターの弧状に送られるローラ部１３の打ち手側の手前側の端面の径が小径となり、外側の端面の径が太径となっている。
更にこのローラ部１３はパターのヘッド部１の底側に一部が突出した状態で設置されている。
従ってグリーンの芝上をこのローラ部１３が回転してヘッド部１が送られることとなる。
尚、このローラ部１３はヘッド部１に軸部１４を有しており、この軸部１４でローラ部１３が軸支されている。
【００１２】
図３は、本発明に係るゴルフ用パターの他の例を示す図である。
本図に示す構成はヘッド部１にボールと接するフェース面１００を有する中央部１０とこの両端に位置する左側部１１と右側部１２とを有し、この中央部１０と左側部１１と右側部１２とでヘッド部１を形成している。
このヘッド部１の左側部１１と右側部１２との間は空間を有しており、この部分に軸部１４を介したローラ部１３を有している。
本図に示す構成は軸部１４自体を太径の軸部１４として構成し、更にローラ部１３はヘッド部１の左側部１１と右側部１２との間に有するが、それぞれと若干の隙間を有するが近接している状態のローラ部１３を有する一例を示す図である。
本図に示す構成においても打ち手側が立つシャフト部２側のローラ部１３の端面の径と対向方向の打ち手と反対方向のローラ部１３の端面の径とを比較するとシャフト部２側の端面の径よりも太径の径を対向方向の端面に有するローラ部１３を有するものである。
【００１３】
本図に示すローラ部１３も軸部１４と回動自在に軸支されているものである。
更に打ち手側が立つシャフト部２側のローラ部１３の端面の径と対向方向の打ち手と反対方向のローラ部１３の端面の径とを比較する両者の径の相違は１００対１１０程度を示しているが、これに限らず両者の径の相違は１００対１０５程度の差から１００対１３０程度の差を有する径の相違を有するものであればよい。
【００１４】
図４は、図３に示すパターのヘッド部１を横から視認した状態の一例を示す図である。
本図に示すようにパターのシャフト部２側のローラ部１３の端面の径とシャフト部２の逆側のローラ部１３の端面の径とを比較すると１００対１１０程度の差を有し、シャフト部２側のローラ部１３の端面の径がシャフト部２の逆側のローラ部１３の端面の径を対比すると細径に対してこれよりも太い太径を有する構成である。
このように構成することによりパターを用いて打つ場合にこのパターのヘッド部１の移動位置は弧状に移動するものであり、打ち手の側の径が小径となり、外側が太径となっているものであり、このヘッド部１の弧状の移動状態に合致した回転をこのローラ部１３が行うこととなる。
更にこのローラ部１３はパターのヘッド部１の底側に一部突出する形で形成されている。
従って芝上をこのローラ部１３のローラが回転してヘッド部１が送られることとなる。      
【００１５】
図５は左利き用の本発明に係るゴルフ用パターの一例を示す図である。
本パターの構成はヘッド部１に設けたシャフト部２の側に打ち手が立つことから本図ではヘッド部１の中央部１０のフェース面１００は他の図と逆方向を向いているものであり、打者側のローラ部１３の端面の径が外側のローラ部１３の端面の径と比較して細径となっているものである。
尚、便宜上本明細書上においてこのようなローラ部１３の双方の端面の径を比較して一方が他方に比べて細い場合、あるいは逆の面からみて他の径が太くよるような関係の径の大きさの相違は一方を細径と称し他方を太径と称して説明するものであり、両者間の径の相違を明確にするための表現として使用するものである。
又ローラ部１３は円筒形の両端の端面の径が相違して形成しているものであり、円錐形状の頂点部を切り取った円筒状のローラであり、それぞれ異なる太さの端面の径を両端の径とするローラ部１３を用いているものである。
【００１６】
更にヘッド部１に有するシャフト部２は、打ち手に近いところに有する構成のパターを前提として構成しているものであり、ヘッド部１とシャフト部２の設置位置が逆であり、シャフト部２が打ち手に遠い構成のパター補用いた場合には、ヘッド部１に設置したシャフト部２が打ち手から遠い位置に位置して配置している場合には打ち手に近い側のローラ部１３の端面の径が細径であり、遠い側の端面の径が太径であることであればよい。
【符号の説明】
【００１７】
１      ヘッド部
１０    中央部
１００  フェース面
１１    左側部
１２    右側部
１３    ローラ部
１４    軸部
２      シャフト部
【図１】
0006938826.tif 000002
【図２】
0006938826.tif 000003
【図３】
0006938826.tif 000004
【図４】
0006938826.tif 000005
【図５】
0006938826.tif 000006